(57)【特許請求の範囲】
【請求項１】
複数のブラシ、発光素子、及び受光素子が設けられた振動部と、
前記振動部を振動させる駆動を行う駆動部と、を備え、
前記受光素子は、前記駆動部によって振動される前記振動部の振動数とは異なる共振振動数を持つ防振部材に固定されており、
前記振動部は、前記複数のブラシが形成されたブラシユニットと、前記ブラシユニットの中空部と嵌合する嵌合部とを有し、
前記発光素子と前記受光素子は前記嵌合部の前記中空部に挿入される部分に設けられ、
前記ブラシユニットが前記嵌合部と嵌合した状態で、前記ブラシユニットを前記複数のブラシの押し当て方向からみた平面視において、前記発光素子と前記受光素子は、前記複数のブラシが形成される領域を挟んで配置されており、
前記ブラシユニットは、前記嵌合した状態で、前記発光素子から発せられる光を前記ブラシユニットの外部に透過させるための第一の透光性部材と、前記ブラシユニットの外部から前記受光素子に光を入射させるための第二の透光性部材と、を備える
電動歯ブラシ。
【請求項２】
請求項１記載の電動歯ブラシであって、
前記発光素子は、前記駆動部によって振動される前記振動部の振動数とは異なる共振振動数を持つ防振部材に固定されている電動歯ブラシ。
【請求項３】
請求項１又は２に記載の電動歯ブラシであって、
前記ブラシユニットにおいて前記複数のブラシが形成される領域の外縁形状は２つの凹部を有しており、
前記平面視において前記２つの凹部の一方の凹部と重なる位置に前記発光素子が設けられ、
前記平面視において前記２つの凹部の他方の凹部と重なる位置に前記受光素子が設けられている電動歯ブラシ。
【発明の詳細な説明】
【技術分野】
【０００１】
本発明は、電動歯ブラシに関する。
【背景技術】
【０００２】
高速に振動するブラシを歯面にあてることによって歯磨き（歯垢除去）を行うタイプの電動歯ブラシが知られている。このような電動歯ブラシでは、歯の表面に付着した歯垢、歯石、齲蝕等を検知するための手段をブラシユニットに設けたものが提案されている。
【０００３】
特許文献１には、光センサと光源をブラシユニットに設け、光源から発した光の反射光を光センサで検出して、齲蝕等を検知してユーザに知らせる電動歯ブラシが記載されている。
【０００４】
特許文献２、３には、ブラシユニットにおいて多数のブラシで囲まれる領域内に光出射用と受光用の孔部を設け、この孔部に光を導入する光源と、この孔部に入射した光を検出する光センサを本体部に設けた電動歯ブラシが記載されている。
【０００５】
特許文献４には、ブラシユニットにおいて多数のブラシで囲まれる領域内、又は、ブラシユニットにおいて多数のブラシが形成される面とは裏側に、光源と撮像素子を設けた電動歯ブラシが記載されている。
【先行技術文献】
【特許文献】
【０００６】
【特許文献１】特表２００８−５３２６１９号公報
【特許文献２】特表２００２−５１５２７６号公報
【特許文献３】特表２０１３−５３１５３４号公報
【特許文献４】特開２０１３−０４２９０６号公報
【発明の概要】
【発明が解決しようとする課題】
【０００７】
例えば、歯磨きをしながら、磨いている部位の歯垢をリアルタイムに検知するためには、ブラシユニットの口内に挿入される部分に受光部と光出射部を設ける必要がある。しかしながら、歯磨きが行われている間、ブラシユニットは振動している。このため、この振動の影響により、光出射部から出射された光を受光部にて精度よく受光できなくなり、歯垢検出精度が低下する可能性がある。特許文献１〜４は、このような課題を考慮していない。
【０００８】
本発明は、上記事情に鑑みてなされたものであり、歯磨きしている部位の歯垢等を歯磨き中にリアルタイムに精度よく検知することのできる電動歯ブラシを提供することを目的とする。
【課題を解決するための手段】
【０００９】
本発明の電動歯ブラシは、複数のブラシ、発光素子、及び受光素子が設けられた振動部と、前記振動部を振動させる駆動を行う駆動部と、を備え、前記受光素子は、前記駆動部によって振動される前記振動部の振動数とは異なる共振振動数を持つ防振部材に固定されているものである。
【発明の効果】
【００１０】
本発明によれば、歯磨きしている部位の歯垢等を歯磨き中にリアルタイムに精度よく検知することのできる電動歯ブラシを提供することができる。
【図面の簡単な説明】
【００１１】
【図１】本発明の一実施形態を説明するための電動歯ブラシをブラシ押し当て方向からみた概略構成を示す平面図である。
【図２】図１に示す電動歯ブラシのＡ−Ａ線の断面模式図である。
【図３】図１に示す電動歯ブラシの把持部１０の内部構成を示すブロック図である。
【図４】図１に示すＡ−Ａ線の断面模式図の第一の変形例を示す図である。
【図５】図１に示すＡ−Ａ線の断面模式図の第二の変形例を示す図である。
【図６】図１に示す平面図の変形例を示す図である。
【図７】図１に示すＡ−Ａ線断面の第三の変形例を示す図である。
【発明を実施するための形態】
【００１２】
以下、本発明の実施形態について図面を参照して説明する。
【００１３】
図１は、本発明の一実施形態を説明するための電動歯ブラシをブラシ押し当て方向からみた概略構成を示す平面図である。
【００１４】
この電動歯ブラシは、内部にバッテリや電気制御系を含む把持部１０、及び、把持部１０に固定された嵌合部としてのステム１１を有する本体部と、ステム１１に対して着脱可能なブラシユニット２０と、を備える。
【００１５】
ブラシユニット２０は、複数のブラシ２２と、光出射部２３と、受光部２４と、を備える。複数のブラシ２２、光出射部２３、及び受光部２４は、ブラシユニット２０の先端部の同一面に形成されている。各ブラシ２２は、多数の毛を束ねたものである。
【００１６】
なお、図１は、ブラシユニット２０がステム１１に装着された状態で、ブラシユニット２０を複数のブラシ２２の押し当て方向（ブラシ２２の伸びる方向）から見た平面図である。
【００１７】
図１に示すように、複数のブラシ２２は“Ｈ”状に配置されている。複数のブラシ２２が形成された領域の外縁２１は、矩形の両短辺に凹部２１ａと凹部２１ｂを設けた形状となっている。
【００１８】
光出射部２３は、ブラシユニット２０の筐体に設けられた孔部に、後述するステム１１に設けられた発光素子から発せられた光を透過する第一の透光性部材を嵌め込んで形成された透明窓である。発光素子から発せられた光は、この透明窓からブラシユニット２０外部に出射される。光出射部２３は、凹部２１ａに形成されている。
【００１９】
受光部２４は、ブラシユニット２０の筐体に設けられた孔部に、光出射部２３から出射されて口内の対象物で反射した光を透過する第二の透光性部材を嵌め込んで形成された透明窓である。この透明窓に入射した光は、後述するステム１１に設けられた受光素子に入射するようになっている。受光部２４は、凹部２１ｂに形成されている。
【００２０】
このように、光出射部２３と受光部２４は、ブラシ２２が配置される領域の外縁２１より外側に配置され、かつ、複数のブラシ２２からなるブラシ群を挟んで配置されている。図１の例では、光出射部２３と受光部２４を結ぶ直線の伸びる方向は、ブラシユニット２０の長手方向と一致している。
【００２１】
図２は、図１に示す電動歯ブラシのＡ−Ａ線の断面模式図である。
【００２２】
ブラシユニット２０は、中空部２０ａを有する先端部が閉じた筒状の筐体で構成されている。中空部２０ａにステム１１が嵌合されることで、本体部とブラシユニット２０とが固定される。
【００２３】
ステム１１は、先端（把持部１０側とは反対側の端部）が閉じた筒状の筐体で構成されている。ステム１１は、内部の先端に形成された軸受１２と、軸受１２に一端が挿入された偏心軸１３と、錘１４と、基板１５に固定された防振部材２５に固定された発光素子１６及び受光素子１７と、筐体に設けられた孔部２３ａ，２４ａと、を備える。
【００２４】
偏心軸１３の他端は把持部１０に内蔵されたモータＭの回転軸に連結されている。モータＭの回転軸が回転することで、偏心軸１３が回転する。
【００２５】
錘１４は、軸受１２の近傍において偏心軸１３に固定されている。この錘１４により、偏心軸１３の重心は、その回転中心からずれている。なお、偏心軸１３と軸受１２の間には微小なクリアランスが設けられている。
【００２６】
モータＭの回転軸の回転に伴って偏心軸１３も回転するが、偏心軸１３は錘１４によって重心がずれているために、回転中心の回りに旋回するような運動を行う。よって、偏心軸１３全体がたわみ、ステム１１とこれに装着されたブラシユニット２０とを高速に振動させることとなる。ステム１１とブラシユニット２０は振動部を構成する。
【００２７】
このように、偏心軸１３の旋回運動によってブラシユニット２０が振動される駆動原理の場合、ブラシユニット２０はモータＭの回転軸に垂直な面内（ブラシ２２の押し当て方向に平行な面内）を２次元的に振動し得る。
【００２８】
本実施形態の電動歯ブラシは、振動部（ステム１１及びブラシユニット２０）全体が共振点(共振振動数)を有しており、モータＭの回転速度を制御することで、ステム１１及びブラシユニット２０をブラシ２２の押し当て方向である第一の方向に振動させる動作と、ステム１１及びブラシユニット２０を、モータＭの回転軸に垂直な面内におけるブラシ２２の押し当て方向と交差する第二の方向に振動させる動作とを切り替えることが可能になっている。
【００２９】
孔部２３ａは、光出射部２３と対向する位置に形成されている。
【００３０】
孔部２４ａは、受光部２４と対向する位置に形成されている。
【００３１】
発光素子１６は、ＬＥＤ（Ｌｉｇｈｔ  Ｅｍｉｔｔｅｄ  Ｄｉｏｄｅ）やレーザダイオード等で構成されている。発光素子１６の発光波長は検出対象とする口内の要素（歯垢、歯石、齲蝕等）に応じて最適なものを選択すればよい。発光素子１６は、ステム１１の内部において、孔部２３ａと対向する位置に設けられている。
【００３２】
受光素子１７は、光を電気信号に変換するフォトダイオード等の素子で構成されている。受光素子１７は、ステム１１の内部において、孔部２４ａと対向する位置に設けられている。
【００３３】
基板１５は、発光素子１６と受光素子１７に電気的に接続された配線が形成されるものであり、例えばフレキシブル基板が用いられる。基板１５は把持部１０内部にまで延びており、基板１５に形成された配線は、把持部１０に内蔵される後述する制御部と電気的に接続される。
【００３４】
防振部材２５は、モータＭの回転によって駆動される振動部（ステム１１及びブラシユニット２０）の振動数（第一の方向に振動されるときの共振振動数及び第二の方向に振動されるときの共振振動数）とは異なる共振振動数を持つ材料により構成されている。防振部材２５は、例えばウレタンにより構成されている。
【００３５】
図２に示すように、光出射部２３を構成する第一の透光性部材の断面形状は、ブラシ２２の伸びる方向と直交する方向に並ぶ側壁が、ブラシ２２の伸びる方向を基準としたときに、受光部２４側とは反対側に傾斜している。
【００３６】
このような第一の透光性部材の形状により、発光素子１６からブラシ２２の伸びる方向に発せられた光は、ステム１１の孔部２３ａを通過した後、光出射部２３の形状に沿ってその進行方向が受光部２４側に変化する。
【００３７】
このような構成により、光出射部２３は、ブラシ２２の押し当て方向よりも、ブラシ２２の押し当て方向と交差し、かつ、図１の平面視において光出射部２３から受光部２４に向かう方向に多くの光を出射する。
【００３８】
また、図２に示すように、受光部２４を構成する第二の透光性部材の断面形状は、ブラシ２２の伸びる方向と直交する方向に並ぶ側壁が、ブラシ２２の伸びる方向を基準としたときに、光出射部２３側とは反対側に傾斜している。
【００３９】
このような第二の透光性部材の形状により、受光部２４は、ブラシ２２の押し当て方向から入射してくる光よりも、光出射部２３から出射された光を例えば歯Ｄで正反射させたときの該光の反射方向から入射してくる光を多く受光する。
【００４０】
光出射部２３は、ここから出射された光がブラシ２２によってケラレないように、側壁の傾斜角度やブラシ２２からの距離を決めておくのがよい。
【００４１】
受光部２４は、光出射部２３から出射され正反射した光がブラシ２２によってケラレないように、側壁の傾斜角度やブラシ２２からの距離を決めておくのがよい。
【００４２】
図３は、図１に示す電動歯ブラシの把持部１０の内部構成を示すブロック図である。
【００４３】
把持部１０は、モータＭと、報知部６０と、制御部５０と、を備える。
【００４４】
制御部５０は、ステム１１及びこれに固定されたブラシユニット２０からなる振動部をブラシ２２の押し当て方向である第一の方向に振動させる第一の駆動と、振動部をブラシ２２のモータＭの回転軸に垂直な面内におけるブラシ２２の押し当て方向と交差する第二の方向に振動させる第二の駆動とを選択的に行う駆動部として機能する。制御部５０は、第一の駆動と第二の駆動の切り替えを、モータＭの回転軸の回転速度を変更することにより行う。
【００４５】
制御部５０は、例えば、第一の駆動と第二の駆動を交互に行う。このように、ブラシユニット２０の振動方向を自動的に切り替えることで、ブラシ２２の毛先が施療部に対して様々な角度から当たるため、単一方向の刷掃に比べてより優れた歯垢除去効果を得ることができる。
【００４６】
なお、制御部５０によるステム１１の駆動方法は特に限定されない。例えば、第一の駆動のみを行ったり、第二の駆動のみを行ったりしてもよい。
【００４７】
制御部５０は、基板１５を介して発光素子１６を駆動し、発光素子１６から光を発光させる制御を行う。
【００４８】
制御部５０は、受光素子１７から出力される信号を用いた処理を行う。
【００４９】
この処理は、歯に付着している歯垢の量を受光素子１７の出力信号値から演算により求める処理、歯石の有無を受光素子１７の出力信号値から判定する処理、及び、齲蝕の有無を受光素子１７の出力信号値から判定する処理等を含む。以下では、制御部５０が歯垢の量を演算する処理を行うものとして説明する。
【００５０】
報知部６０は、スピーカーやＬＥＤ等のデバイスを用いて、電動歯ブラシの使用者に報知を行う。報知部６０は、制御部５０からの指令にしたがって、音を鳴らしたり、ＬＥＤを光らせたりして、使用者に報知を行う。
【００５１】
報知する内容は、制御部５０で演算された歯垢の量としている。例えば、報知部６０は、歯垢の量が非常に少ない状態であればＬＥＤを緑色に光らせ、歯垢の量が多い状態であればＬＥＤを赤色に光らせる等して歯垢の量を報知し、効果的な歯磨きを支援する。
【００５２】
以上のように構成された電動歯ブラシの動作を説明する。
【００５３】
電動歯ブラシの電源がオンされてブラッシング開始操作がなされると、制御部５０は、第一の駆動と第二の駆動を交互に行う。これにより、歯に押し当てられたブラシユニット２０は、第一の方向への振動と第二の方向への振動とを交互に繰り返し、歯に付着した歯垢がブラシ２２により除去される。
【００５４】
制御部５０は、第一の駆動と第二の駆動を交互に行う間、発光素子１６を発光させる。発光素子１６から発せられた光は孔部２３ａを通過した後、光出射部２３から斜め方向に出射される。
【００５５】
光出射部２３から出射された光は、複数のブラシ２２が押し当てられている歯Ｄに入射し、歯Ｄの表面で正反射する。正反射した光は、受光部２４に入射し、孔部２４ａを通過して受光素子１７にて受光される。
【００５６】
受光素子１７は、受光した光を電気信号に変換して制御部５０に出力する。制御部５０は、受光素子１７から出力された電気信号を用いた演算により、歯Ｄのブラッシング部分における歯垢の量を求める。そして、制御部５０は、求めた歯垢の量にしたがって、報知部６０から報知を行う。
【００５７】
図１〜３に示した電動歯ブラシによれば、光出射部２３からは、ブラシ２２の伸びる方向に対して交差し、かつ、図１の平面視における光出射部２３から受光部２４に向かう方向に発光素子１６からの光の大部分が出射される。したがって、ブラシ２２が形成される領域と対向する部分（歯磨き中に複数のブラシ２２が接触する歯Ｄ）の表面の歯垢を精度よく検出可能となる。
【００５８】
また、この電動歯ブラシによれば、受光部２４が、ブラシ２２の伸びる方向に対して交差し、かつ、図１の平面視における光出射部２３から受光部２４に向かう方向からくる光を多く受光できるようになっている。このため、歯Ｄで正反射した発光素子１６からの光の大部分を受光素子１７に導くことができ、受光素子１７から出力される信号量を増やして、歯垢の検出感度を上げることができる。
【００５９】
このように、電動歯ブラシの使用者は、ブラシ２２によって磨いている歯の歯垢量を報知部６０から報知される内容によって正確かつリアルタイムに知ることができる。このため、効果的な歯磨きを行うことが可能となる。
【００６０】
また、光出射部２３から斜めに光が出射されることで、光出射部２３と受光部２４の距離を大きくしても、磨いている部位の歯垢の検出精度を確保することができる。光出射部２３と受光部２４の距離が近いと、ブラシ２２の密度が疎となる領域が大きくなる。しかし、図１の構成によれば、光出射部２３と受光部２４を離して配置することができるため、ブラシ２２の密度が疎となる領域を分散させることができる。この結果、ブラシ２２による歯垢除去能力が低下するのを防ぐことができる。
【００６１】
また、ブラシユニット２０では、光出射部２３と受光部２４の距離を大きくとることができる。このため、光出射部２３と受光部２４を、ブラシ２２が形成される領域において可能な限り端に配置することができる。この結果、ブラシ２２の数を増やすことができ、歯垢除去性能を高めることができる。
【００６２】
また、ブラシユニット２０では、光出射部２３と受光部２４の各々が、図１の平面視において上下左右の４方向のうちの３方向をブラシ２２が形成された領域で囲まれる位置に配置されている。
【００６３】
このため、光出射部２３と受光部２４の各々を凹部の外側に配置する場合と比較すると、ブラシユニット２０を小型化することができる。また、図１の配置により、光出射部２３と受光部２４の距離を小さくすることができ、歯垢等の検出精度を向上させることができる。
【００６４】
また、ブラシユニット２０は、ブラシ２２と第一の透光性部材と第二の透光性部材を筐体に設けただけの構成である。このため、製造コストを下げることができる。ブラシユニット２０は消耗品であるため、製造コストを下げられるメリットは大きい。
【００６５】
図１の電動歯ブラシは、光出射部２３と受光部２４が制御部５０の駆動によって高速に振動する。このため、この振動が歯垢の検出精度を低下させる可能性がある。
【００６６】
また、ブラシユニット２０は、光出射部２３と受光部２４が複数のブラシ２２が形成される領域を挟んで配置されていることで、光出射部２３と受光部２４との距離が大きくなる構成である。
【００６７】
このため、光出射部２３から出射された光が受光部２４に到達するまでにはタイムラグが生じやすくなり、振動による歯垢の検出精度低下が発生しやすくなる。
【００６８】
図１の電動歯ブラシでは、防振部材２５上に発光素子１６及び受光素子１７が固定されているため、振動部が振動しているときでも、発光素子１６及び受光素子１７の振動を減らすことができる。このため、電動歯ブラシの耐久性向上や、歯垢の検出精度の向上が期待できる。
【００６９】
なお、図２では、発光素子１６と受光素子１７を防振部材２５上に固定しているが、受光素子１７だけを防振部材２５上に固定してもよい。振動の影響が大きいのは受光素子１７の方であるため、少なくとも受光素子１７を防振部材２５上に固定しておけばよい。
【００７０】
図１〜３では、偏心軸１３と錘１４により、振動部を第一の方向と第二の方向に振動させることを可能しているが、振動部の構成はこれに限らず、第一の方向と第二の方向にステム１１及びブラシユニット２０を一体的に振動させることのできる構造であればよい。例えば、音波振動により第一の方向と第二の方向に振動部を振動させるものであってもよい。
【００７１】
図４は、図１に示すＡ−Ａ線の断面模式図の第一の変形例を示す図である。図４において図２と同一構成には同一符号を付して説明を省略する。
【００７２】
図４に示す断面構成は、光出射部２３と受光部２４の間にある複数のブラシ２２からなるブラシ群の形状が異なる点を除いては、図２に示したものと同じである。
【００７３】
図４の断面において光出射部２３と受光部２４の間に形成されたブラシ群は、光出射部２３側の端部において受光部２４から離れるほどブラシ２２の長さが短くなっており、かつ、受光部２４側の端部において光出射部２３から離れるほどブラシ２２の長さが短くなっている。
【００７４】
具体的には、図４に示された８つのブラシ２２において、各々の頂面と、各々の底面と、最も右のブラシ２２の右側面と、最も左のブラシ２２の左側面と、を結ぶ形状は、長方形の２つの角を削った形状となっている。
【００７５】
図５は、図１に示すＡ−Ａ線の断面模式図の第二の変形例を示す図である。図５において図２と同一構成には同一符号を付して説明を省略する。
【００７６】
図５に示す断面構成は、光出射部２３と受光部２４の間にある複数のブラシ２２からなるブラシ群の形状が異なる点を除いては、図２に示したものと同じである。
【００７７】
図５の断面において光出射部２３と受光部２４の間に形成されたブラシ群は、光出射部２３側の端部において受光部２４から離れるほどブラシ２２の長さが短くなっており、かつ、受光部２４側の端部において光出射部２３から離れるほどブラシ２２の長さが短くなっている。
【００７８】
具体的には、図５に示された８つのブラシ２２において、中央の４つのブラシ２２の高さが最大となっており、この４つのブラシ２２から光出射部２３に向かうにしたがってブラシ２２の高さが低くなっている。また、この４つのブラシ２２から受光部２４に向かうにしたがってブラシ２２の高さが低くなっている。
【００７９】
図４に示すブラシ群の構成は、図５に示す８つのブラシ２２のうちの、左２つのブラシ２２の頂面を、光出射部２３から出射される光の出射方向に沿って傾斜させ、右２つのブラシ２２の頂面を、光出射部２３から出射されて正反射された光の進行方向に沿って傾斜させた構成ということもできる。
【００８０】
光出射部２３と受光部２４の間にあるブラシ群を、図４，５に例示した構成にすることで、光出射部２３から出射されて歯に向かう光がブラシ２２によってケラレにくくなる。また、光出射部２３から出射されて歯で反射した光が受光部２４に到達するまでに、ブラシ２２によってケラレにくくなる。したがって、歯垢の検出精度を向上させることができる。
【００８１】
図６は、図１に示す平面図の変形例を示す図である。図６において図１と同一構成には同一符号を付して説明を省略する。図６に示した変形例は、光出射部２３と受光部２４の配置場所を変更した点を除いては図１と同じ構成である。
【００８２】
図６では、矩形の外縁２１の２つの長辺の各々に凹部を設け、この凹部に光出射部２３と受光部２４を設けている。このような構成であっても、図１の電動歯ブラシと同じ効果を得ることができる。
【００８３】
なお、ブラシ２２を歯に押し当てて歯磨きを行っているときには、ブラシ２２が、ブラシユニット２０の短手方向に向かって倒れこむことがある。
【００８４】
図６に示した構成によれば、光出射部２３と受光部２４の各々に対しては、一方向からしかブラシ２２が倒れこんでこない。このため、ブラシ２２の倒れこみによる歯垢の検出精度低下を防ぐことができる。
【００８５】
ここまでは、ステム１１に発光素子１６と受光素子１７を設ける構成を説明した。しかし、ブラシユニット２０のブラシ２２が形成される面に、発光素子１６と受光素子１７を設ける構成としてもよい。
【００８６】
図７は、図１に示すＡ−Ａ線断面の第三の変形例を示す図である。図７において図２と同一構成には同一符号を付して説明を省略する。この変形例は、ステム１１内部に設けていた発光素子１６と受光素子１７を、ブラシユニット２０のブラシ２２が形成された面に設けた構成である。
【００８７】
平面視において、発光素子１６の配置位置は、図１の光出射部２３の配置位置と同じである。また、受光素子１７の配置位置は、図１の受光部２４の配置位置と同じである。
【００８８】
図７に示すように、発光素子１６は、ブラシ２２が形成された面上に形成された防振部材２５ａ上に固定されている。発光素子１６は、ブラシ２２が形成された面に対して発光面が受光素子１７側に向くように傾けて配置されている。
【００８９】
受光素子１７は、ブラシ２２が形成された面上に形成された防振部材２５ｂ上に固定されている。受光素子１７は、ブラシ２２が形成された面に対して受光面が発光素子１６側に向くように傾けて配置されている。
【００９０】
防振部材２５ａと防振部材２５ｂの機能は、防振部材２５と同じである。
【００９１】
このような構成により、発光素子１６は、ブラシ２２の押し当て方向よりも、ブラシ２２の押し当て方向と交差し、かつ、図１の平面視において受光素子１７に向かう方向に多くの光を出射する構成となっている。
【００９２】
また、受光素子１７は、ブラシ２２の押し当て方向から入射してくる光よりも、発光素子１６から出射された光を正反射させたときの該光の反射方向から入射してくる光を多く受光する構成となっている。
【００９３】
図７の変形例では、発光素子１６が図１の光出射部２３と同じ機能を果たし、受光素子１７が図１の受光部２４と同じ機能を果たす。したがって、この構成であっても、ブラシ２２と対向する口内部位の歯垢等を精度よく検出することができる。
【００９４】
図７の変形例では、防振部材２５ａを省略し、ブラシ２２が形成される面に発光素子１６を直接形成してもよい。少なくとも受光素子１７を防振部材２５ｂ上に固定することで、歯垢を精度よく検出することができる。
【００９５】
図２，４，５では、ステム１１内部に発光素子１６と受光素子１７を設けているが、これに限らない。例えば、ステム１１の外周において光出射部２３と対向する位置に防振部材２５及び発光素子１６を設け、受光部２４と対向する位置に防振部材２５及び受光素子１７を設けてもよい。この場合は孔部２３ａ，２４ａは不要となる。
【００９６】
また、ステム１１の外周に発光素子１６と受光素子１７を設ける場合に、防振部材２５の材料として、ステム１１と中空部２０ａの間に水が浸入するのを防ぐことのできる機能を持つ材料を採用するとよい。
【００９７】
ブラシユニット２０に設けられる光出射部２３及び受光部２４の配置は、図１〜７に示したものに限らず、ブラシユニット２０のうち口内に挿入され得る部分に歯垢等が検出可能な形で光出射部２３及び受光部２４が配置されていればよい。
【００９８】
また、光出射部２３は発光素子１６からの光をブラシ２２の押し当て方向に出射させる構成としてもよい。同様に、受光部２４は、ブラシ２２の押し当て方向から入射する光を最も多く受光する構成としてもよい。
【００９９】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１００】
以上説明してきたように、本明細書には以下の事項が開示されている。
【０１０１】
開示された電動歯ブラシは、複数のブラシ、発光素子、及び受光素子が設けられた振動部と、前記振動部を振動させる駆動を行う駆動部と、を備え、前記受光素子は、前記駆動部によって振動される前記振動部の振動数とは異なる共振振動数を持つ防振部材に固定されているものである。
【０１０２】
開示された電動歯ブラシは、前記発光素子は、前記駆動部によって振動される前記振動部の振動数とは異なる共振振動数を持つ防振部材に固定されているものである。
【０１０３】
開示された電動歯ブラシは、前記振動部は、前記複数のブラシが形成されたブラシユニットと、前記ブラシユニットの中空部と嵌合する嵌合部とを有し、前記発光素子と前記受光素子は前記嵌合部の前記中空部に挿入される部分に設けられ、前記ブラシユニットが前記嵌合部と嵌合した状態で、前記ブラシユニットを前記複数のブラシの押し当て方向からみた平面視において、前記発光素子と前記受光素子は、前記複数のブラシが形成される領域を挟んで配置されており、前記ブラシユニットは、前記嵌合した状態で、前記発光素子から発せられる光を前記ブラシユニットの外部に透過させるための第一の透光性部材と、前記ブラシユニットの外部から前記受光素子に光を入射させるための第二の透光性部材と、を備えるものである。
【０１０４】
開示された電動歯ブラシは、前記ブラシユニットにおいて前記複数のブラシが形成される領域の外縁形状は２つの凹部を有しており、前記平面視において前記２つの凹部の一方の凹部と重なる位置に前記発光素子が設けられ、前記平面視において前記２つの凹部の他方の凹部と重なる位置に前記受光素子が設けられているものである。
【産業上の利用可能性】
【０１０５】
本発明は、特に家庭用の電動歯ブラシに適用して利便性が高く、有効である。
【符号の説明】
【０１０６】
１０  把持部
１１  ステム
１３  偏心軸
１４  錘
１６  発光素子
１７  受光素子
２０  ブラシユニット
２１ａ，２１ｂ  凹部
２２  ブラシ
２３  光出射部
２３ａ，２４ａ  孔部
２４  受光部
２５  防振部材
５０  制御部
６０  報知部
Ｍ  モータ
【図１】
0006599652.tif 000002
【図２】
0006599652.tif 000003
【図３】
0006599652.tif 000004
【図４】
0006599652.tif 000005
【図５】
0006599652.tif 000006
【図６】
0006599652.tif 000007
【図７】
0006599652.tif 000008